(57)【特許請求の範囲】
【請求項１】
誘電体導波管（３）を受け取るための受取り端（１３）および前記受取り端（１３）に対して遠位に位置する接続端（１５）を有する導波管フェルール（５）と、フェルールレセプタクル（６１）内に前記導波管フェルール（５）を少なくとも部分的に受け取るフェルールソケット（５３）とを備え、前記導波管フェルール（５）は、前記フェルールソケット（５３）とのロック接続のための少なくとも１つのロック部材（３１）を備え、前記フェルールソケット（５３）は、少なくとも１つのコード化部材（６９）を備え、前記少なくとも１つのコード化部材（６９）は、単一の所定の角度位置（７１）で、または互いに対して１８０°回転する２つの所定の角度位置（７１）のうちの１つで、前記導波管フェルール（５）が前記フェルールソケット（５３）に対して位置決めされたときのみ、前記導波管フェルール（５）の相補形のコード化部材（３８）に係合し、
前記フェルールソケット（５３）に挿入可能なリテーナ（８７）が備えられ、前記リテーナ（８７）の２次ロック部材（９３）が前記ロック部材（３１）に係合し、前記導波管フェルール（５）が前記フェルールソケット（５３）から取り外されるのを防止する、マイクロ波コネクタアセンブリ（５５）。
【請求項２】
前記導波管フェルール（５）の前記相補形のコード化部材（３８）は、径方向（３５）とは反対の方向に平坦化された平坦部分（４１）を備える、請求項１に記載のマイクロ波コネクタアセンブリ（５５）。
【請求項３】
２つの相補形のコード化部材（３８）および２つのコード化部材（６９）が備えられ、それぞれ導波管フェルールベース（７）の径方向両側および／または前記フェルールレセプタクル（６１）の径方向両側に位置している、請求項１または２に記載のマイクロ波コネクタアセンブリ（５５）。
【請求項４】
前記相補形のコード化部材（３８）は、さらなるコード化部材（４５）として実施され、または前記導波管フェルール（５）がさらなるコード化部材（４５）を備え、前記さらなるコード化部材（４５）は、円筒形の前記導波管フェルール（５）に沿った投影図（５１）で、コード化凹部（３９）として実施される前記相補形のコード化部材（３８）内に少なくとも部分的に位置している、請求項１から３のいずれか一項に記載のマイクロ波コネクタアセンブリ（５５）。
【請求項５】
誘電体導波管（３）が備えられ、前記誘電体導波管（３）は、前記導波管フェルール（５）を越えて延びる自由端（１７）を有する、請求項１から４のいずれか一項に記載のマイクロ波コネクタアセンブリ（５５）。
【請求項６】
前記フェルールソケット（５３）は、互いに対向する２つのフェルールレセプタクル（６１）を備え、２つの前記導波管フェルール（５）の接続端（１５）は、対応する前記フェルールレセプタクル（６１）内に位置決めされ、マイクロ波放射（１１５）の１波長未満だけ互いに隔置されている、請求項１から５のいずれか一項に記載のマイクロ波コネクタアセンブリ（５５）。
【請求項７】
請求項１から６のいずれか一項に記載のマイクロ波コネクタアセンブリ（５５）と、誘電体導波管（３）と、回路基板（９７）の平坦面（９９ａ）に位置するマイクロ波エミッタ（１０７）とを備え、前記マイクロ波エミッタ（１０７）は、放射パターン（１１０）が前記導波管端（１７）の方へ少なくとも部分的に誘導されたマイクロ波アンテナ（１０９）を有し、前記導波管（３）は、前記回路基板（９７）の前記平坦面（９９ａ）に位置する自由端（１７）を有する、マイクロ波伝送アセンブリ（９８）。
【請求項８】
前記導波管ソケット（５３）は、前記回路基板（９７）の前記平坦面（９９ａ）に締結されている、請求項７に記載のマイクロ波伝送アセンブリ（９８）。
【請求項９】
前記フェルールソケット（５３）は、前記回路基板（９７）のフットプリント（１０５）内に位置している、請求項７または８に記載のマイクロ波伝送アセンブリ（９８）。
【請求項１０】
前記誘電体導波管（３）は、前記回路基板（９７）の前記平坦面（９９ａ）に対して傾斜または直交するように向けられている、請求項９に記載のマイクロ波伝送アセンブリ（９８）。
【請求項１１】
前記導波管端（１７）は、前記フェルールソケット（５３）から延びている、請求項７から１０のいずれか一項に記載のマイクロ波伝送アセンブリ（９８）。
【発明の詳細な説明】
【技術分野】
【０００１】
本発明は、マイクロ波コネクタアセンブリおよびマイクロ波伝送アセンブリに関する。
【背景技術】
【０００２】
データ転送速度の速い通信リンク内でミリメートル波（マイクロ波とも呼ばれる）を伝送するために、誘電体導波管が使用されることがある。誘電体導波管が矩形のコアを含む場合、支配的な方向なく偏波マイクロ波を案内する円形のコアとは対照的に、導波管内で案内される直線偏波導波管モードの方向は、コアの形状によって画定される。
【０００３】
知られている偏波維持導波管は、取り扱いが困難である。
【発明の概要】
【発明が解決しようとする課題】
【０００４】
したがって、本発明の目的は、２つの偏波維持マイクロ波導波管の確実かつ再現可能な接続を低損失で可能にする操作が容易なマイクロ波コネクタアセンブリを提供することである。
【課題を解決するための手段】
【０００５】
冒頭に述べた本発明のマイクロ波コネクタアセンブリは、誘電体導波管を受け取るための受取り端および受取り端に対して遠位に位置する接続端を有する導波管フェルールと、フェルールレセプタクル内に導波管フェルールを少なくとも部分的に受け取るフェルールソケットとを備え、導波管フェルールは、フェルールソケットとのロック接続のための少なくとも１つのロック部材を備え、フェルールソケットは、少なくとも１つのコード化部材を備え、この少なくとも１つのコード化部材は、単一の所定の角度位置で、または互いに対して１８０°回転する２つの所定の角度位置のうちの１つで、導波管フェルールがフェルールソケット内に位置するときのみ、導波管フェルールの相補形のコード化部材に係合することから、上記の問題を解決する。
【０００６】
コード化部材を相補形のコード化部材に係合させると、２つの誘電マイクロ波導波管またはマイクロ波導波管およびフェルールソケットを最小限の結合損失で互いに結合させることができる所定の角度位置へ、導波管フェルールを確実、再現可能、かつ容易に回転させることができるという利点がある。導波管フェルールは、コード化部材が相補形のコード化部材に係合している場合のみ、フェルールレセプタクルに挿入しまたは差し込むことができる。後者２つが係合していない場合、導波管フェルールをフェルールレセプタクルに差し込むことはできない。
【０００７】
冒頭に述べたマイクロ波伝送アセンブリは、本発明のマイクロ波コネクタアセンブリと、誘電体導波管と、回路基板の平坦面に位置するマイクロ波エミッタとを備えることによって、上記の問題を解決する。マイクロ波エミッタは、放射パターンが導波管端の方へ少なくとも部分的に誘導されたマイクロ波アンテナを有し、誘電体導波管は、回路基板の平坦面に位置する自由導波管端を有する。
【０００８】
以下、本発明のさらなる実施形態を提示する。図示の実施形態は単独で有利であり、異なる実施形態の技術的な特徴を任意に組み合わせることも省略することもできる。
【０００９】
導波管フェルールは、長手方向に沿って延びる導波管の外形に対する中空の形状の取付け具として実施することができる。導波管フェルールは特に、中空の円筒として実施することができる。導波管フェルールの自由内径は、導波管フェルール内に受け取られる誘電体導波管の外径に等しく、またはそれよりわずかに小さくすることができる。
【００１０】
フェルールレセプタクルもまた、自由内径を有することができるが、導波管フェルールの外径に実質上等しく、またはそれより大きくすることができる。
【００１１】
導波管フェルールの外径は、ロック部材が配置される位置で画定することができる。さらに、導波管レセプタクルは、自由内径の異なる部分を含むことができ、したがって、ロック部材を備える部分より小さい外径を有する導波管フェルールベース、ならびにロック部材を有する部分を、十分に小さい遊びでフェルールレセプタクル内に受け取ることができる。十分に小さい遊びとは、導波管フェルールとフェルールソケットとの間の位置決めにおける結合損失のない許容可能な公差であると理解されたい。使用されるマイクロ波の波長に応じて、前記公差は異なる応用例に対して異なる。
【００１２】
ロック部材は、溶接、はんだ付けなどの適当な取付け手段によって１つまたは２つの部分として導波管フェルールベースに取り付けることができるカラーであると理解することができる。
【００１３】
ロック部材は、実質上円筒形の導波管フェルールベースから径方向に延びることができ、少なくとも部分的に導波管フェルールベースの周りに円周方向に延びることができる。
【００１４】
導波管フェルールの相補形のコード化部材は、ロック凹部として実施することができ、フェルールソケットのコード化部材は、フェルールレセプタクル内へ延びることができ、フィン、ステント、またはスロットとして実施することができる。
【００１５】
２つ以上のコード化部材を備えることができ、対応する数の相補形のコード化部材が、導波管フェルールで実施される。
【００１６】
本発明のマイクロ波コネクタアセンブリのさらなる実施形態は、導波管フェルールの相補形のロック部材を備え、導波管フェルールの相補形のロック部材は、径方向とは反対の方向に平坦化された平坦部分を有する。そのような平坦部分は、導波管フェルールの変形によって容易に形成することができる。
【００１７】
本発明のマイクロ波コネクタアセンブリの別の実施形態では、２つの相補形のコード化部材および２つのコード化部材が備えられ、それぞれ導波管フェルールベースの径方向両側および／またはフェルールレセプタクルの径方向両側に位置している。これは、２つの偏波維持構成要素間の偏波維持接続が、結合損失を最小限にしたちょうど２つの所定の角度位置を含むとき、特に有利である。
【００１８】
偏波維持構成要素は、たとえば、２つの偏波維持誘電体導波管、または１つの誘電体導波管および１つのフェルールソケットとすることができる。
【００１９】
したがって、操作者がコネクタ自体を見ることなく接続を確立する場合でも、操作者は、一例として導波管フェルールとフェルールソケットとの間の所定の角度位置をより容易かつ迅速に得ることができる。
【００２０】
さらに、１つのコード化部材および１つのコード化凹部のみを有する実施形態と比較すると、２つのコード化部材および２つの凹部により、角度的な位置決め公差をより小さくすることが可能になる。
【００２１】
本発明のマイクロ波コネクタアセンブリは、上述したように、３つ以上のコード化凹部およびコード化部材を備えることができ、そのような実施形態は優先的に、偶数のコード化凹部およびコード化部材を備え、その結果、２つの回転対称になる。そのようなマイクロ波コネクタアセンブリは、コード化部材とコード化凹部との間の等しくない角度間隔をさらに含む。
【００２２】
本発明のマイクロ波コネクタアセンブリは、導波管フェルールがさらなるコード化部材を備える場合、さらに改善することができる。さらなるコード化部材は、別法または追加として提供することができる。したがって、相補形のコード化部材をさらなるコード化部材として実施することができ、または追加として相補形のコード化部材を提供することができる。追加として提供される場合、さらなるコード化部材は、円筒形の導波管フェルールに沿った投影図で、コード化凹部として実施される相補形のコード化部材内に少なくとも部分的に位置することができる。
【００２３】
フィン、ステント、または異なる幾何形状として実施することができるさらなるコード化部材は、コード化凹部内に位置することができ、またはコード化凹部の円周方向位置に位置するが、導波管フェルールの長手方向軸に沿ってコード化凹部から離れる方へずれていてもよい。円筒形の導波管フェルールに沿った投影図は、導波管フェルールベースの長手方向軸に沿った投影図であると理解される。
【００２４】
さらなるコード化部材は、導波管フェルールとフェルールソケットとの間の位置決め公差を減少させることができる。
【００２５】
本発明のマイクロ波コネクタアセンブリは特に、導波管フェルールの両側に２つのさらなるコード化部材を備えることができる。
【００２６】
導波管端を受取り端から導波管フェルールベースに挿入することができる誘電体導波管を備えることができる。導波管端は、導波管のうち、導波管へのマイクロ波放射を結合しまたは導波管からのマイクロ波放射を結合するように準備された部分である。導波管端は、導波管を接合することによって得ることができ、接合中は導波管端で明確な端面または小面が得られる。
【００２７】
本発明のマイクロ波コネクタアセンブリの別の実施形態によれば、誘電体導波管が備えられ、誘電体導波管は、導波管フェルールを越えて延びる自由導波管端を有する。
【００２８】
導波管端が導波管フェルールを越えて延びる場合、延びている誘電体導波管の一部分が自立することができる。前記部分を余端と呼ぶことができる。余端は、導波管、特にピグテールの自立端とすることができ、さらなるコネクタに接続されたＰＣＢからの信号を経路指定する。
【００２９】
本発明のマイクロ波コネクタアセンブリは、弾性アームで実施することができる対向ロック部材を備えることができ、弾性アームは、導波管フェルールがフェルールソケット内に受け取られたときにロック部材が対向ロック部材の傾斜面に当接することによって撓む。
【００３０】
対向ロック部材は、振動および／または衝撃のある過酷な機械環境でも、フェルールソケット内で導波管フェルールを固定することを可能にすることができる。
【００３１】
ロック部材と対向ロック部材との間の係合を１次ロックと呼ぶことができ、導波管フェルールがフェルールソケット内に所定の角度位置で受け取られた場合のみ、前記１次ロックに特に係合することができる。
【００３２】
１つまたは２つの所定の角度位置とは異なるあらゆる中間角度位置で、コード化部材、相補形のコード化部材（たとえば、コード化凹部）、およびさらなるコード化部材は、１次ロックに係合するほど導波管レセプタクル内へ十分遠くまで導波管フェルールが挿入されるのを防止することができる。したがって、１次ロックによる固定接続は、導波管フェルールがフェルールソケットに対して正しい所定の角度位置に位置決めされた場合にのみ得ることができる。
【００３３】
本発明のマイクロ波コネクタアセンブリのさらなる実施形態では、フェルールソケットに挿入可能なリテーナが備えられ、リテーナの２次ロック部材がロック部材に係合し、導波管フェルールがフェルールソケットから取り外されるのを防止する。リテーナは、追加として、導波管フェルールとフェルールソケットとの間の接続を固定する。
【００３４】
リテーナは、ロック部材、したがって導波管フェルールを阻止することができる。リテーナは、ロック部材に形状嵌めで係合することができる。
【００３５】
リテーナは、フェルールソケットの開口を通ってフェルールソケットに挿入することができ、リテーナのいくつかの部分のみを受け取ることができる。リテーナをフェルールソケット内に受け取ることは、径方向とは反対の方向に沿って、すなわち導波管フェルールの長手方向に本質的に直交する方向から実行することができる。
【００３６】
リテーナは、導波管フェルールのカラー状のロック部材と同じ数の２次ロック部材を備えることができる。
【００３７】
リテーナは、Ｕ字形で実施することができ、リテーナがフェルールソケット内に受け取られている場合、ベースが長手方向に対して本質的に平行に向けられる。
【００３８】
２つの２次ロック部材が、ベースから本質的に直交してフェルールレセプタクルの方へ延びることができ、弧状の当接前面を備えることができ、弧状の曲率および／または半径は優先的に、導波管フェルールベースの半径に類似または等しくすることができる。
【００３９】
したがって当接前面は、大きい面積で導波管フェルールベースに接触することができ、また２次ロック部材の円周方向の大部分が、導波管フェルールのカラー状のロック部材に近接して位置する。
【００４０】
本発明の導波管コネクタアセンブリは、互いに対向する２つのフェルールレセプタクルを備えるフェルールソケットによってさらに改善することができ、２つの導波管フェルールの接続端は、対応するフェルールレセプタクル内に位置決めされ、マイクロ波放射の１波長未満だけ互いに離れる方へ分離されている。２つの導波管フェルールは、好ましくは、マイクロ波放射の波長の２分の１未満、より好ましくは波長の４分の１未満、さらに好ましくは波長の１０分の１未満だけ、互いに離れて位置決めすることができる。
【００４１】
そのような導波管コネクタアセンブリは、２つのフェルールアセンブリ、すなわち導波管フェルールが取り付けられた２つの誘電体導波管を接続して、最小限の結合損失で一方の誘電体導波管から他方の誘電体導波管へマイクロ波放射を結合するために適用することができる。
【００４２】
冒頭に述べたマイクロ波伝送アセンブリは優先的に、直線偏波マイクロ波を刺激する縦型アンテナ（たとえば、ビバルディ構造）または横型アンテナ（たとえば、パッチ）として実施されるアンテナを備えることができる。
【００４３】
マイクロ波アンテナの放射パターンは、主放射ローブを含むことができ、アンテナは、主放射ローブが誘電体導波管の方へ誘導されるように位置決めされ、したがってマイクロ波を誘電体導波管内へ結合することができる。マイクロ波アンテナの放射パターンはまた、遠視野またはアンテナパターンと呼ぶことができる。
【００４４】
本発明によるマイクロ波伝送アセンブリにおいて、マイクロ波コネクタアセンブリおよび特にフェルールソケットは、マイクロ波エミッタから放出されたマイクロ波放射を誘電体導波管内へ結合することを可能にするように、マイクロ波エミッタに対して位置決めされる。
【００４５】
マイクロ波伝送アセンブリは、導波管ソケットが回路基板の平坦面に締結されていることから、さらに改善することができる。したがって導波管ソケットは、回路基板の厚さにわたって回路基板の反対側まで延びず、反対側は、さらなる電気または機械構成要素に近接して位置決めすることができる。
【００４６】
この実施形態では、誘電体導波管は、回路基板の表面に対して本質的に平行な方向に、回路基板の方へ向けられる。
【００４７】
本発明のマイクロ波伝送アセンブリのさらなる実施形態では、導波管ソケットは、回路基板のフットプリント内に位置している。この実施形態には、回路基板の縁部がマイクロ波エミッタとは異なる構成要素を備えることができ、たとえば回路基板と本質的に同じサイズの取付け空間内に回路基板の縁部を受け取ることができるという利点がある。
【００４８】
本発明のマイクロ波伝送アセンブリのさらなる実施形態では、誘電体導波管は、回路基板の平坦面に対して傾斜または直交するように向けられている。したがって、誘電体導波管を有する導波管フェルールを受け取るフェルールソケットは、回路基板のフットプリント内に位置し、したがって回路基板の平面内でマイクロ波伝送アセンブリの寸法が増大しない。
【００４９】
この実施形態では、マイクロ波エミッタおよびそのアンテナは、マイクロ波放射の主ローブが回路基板に傾斜または直交する方向に放出されるように向けられる。したがって、フェルールレセプタクルおよび前記フェルールレセプタクル内に受け取られた導波管フェルールは、放出されるマイクロ波放射の主ローブと本質的に同じ方向に沿って向けられる。
【００５０】
回路基板に対する誘電体導波管の傾斜により、回路基板のフットプリント内にフェルールソケットを位置決めすることが可能になり、追加として回路基板のフットプリントの寸法を増大させることなく誘電体導波管を回路基板の側へ離れて案内することが可能になる。
【００５１】
さらに、マイクロ波放射は、フェルールソケット内の開口を通ってフェルールレセプタクルへ伝送することができる。表面が回路基板に対して本質的に平行に向けられている導波管端は、導波管フェルールによってフェルールレセプタクル内に位置決めされ、したがって導波管フェルールによって所定の角度位置で位置決めされた誘電体導波管内へ、偏波マイクロ波放射を結合することができる。
【００５２】
本発明のマイクロ波伝送アセンブリのさらなる実施形態では、導波管の導波管端は、導波管ソケットから延びている。導波管のうち導波管ソケットから延びる部分を余端と呼ぶことができ、前記余端は導波管フェルールによって位置決めされる。
【００５３】
この実施形態では、マイクロ波エミッタおよびそのアンテナは、マイクロ波放射の主ローブが回路基板へ傾斜する方向に放出されるように向けられる。
【００５４】
マイクロ波エミッタは、フェルールソケットに直接位置することができ、したがって傾斜して放出されるマイクロ波放射は、フェルールソケット内へ直接放出され、アンテナは、導波管フェルール接続端の近傍および／または導波管の導波管端の近傍に位置することができる。導波管の導波管端は特に、導波管フェルールの接続端に一致することができる。
【００５５】
別の実施形態では、誘電体導波管の一部分がフェルールソケットから延びることができ、この部分は、フェルールソケットに取り付けられた導波管フェルールによって、回路基板の方へ傾斜させて案内することができる。誘電体導波管の前端の近傍には、マイクロ波エミッタのアンテナが位置することができる。
【００５６】
誘電体導波管と回路基板との間の傾斜角が、尖った角度（たとえば、３０°を下回る角度）になるように選択された場合、斜角を付けたまたは面取りした誘電体導波管を回路基板のより近くに位置決めすることを可能にするために、回路基板に対して本質的に平行な平面に沿って誘電体導波管のクラッドを切断することができる。
【００５７】
以下、本発明について、添付の図面を参照するいくつかの実施形態を使用して例としてより詳細に説明する。これらの実施形態は単に可能な構成であり、個々の特徴は、上述したように、互いに独立して実現および省略することができる。これらの実施形態の説明では、同じ技術的な特徴および同じ技術的な効果を有する技術的な特徴には、同じ参照番号を提供する。
【図面の簡単な説明】
【００５８】
【図１】誘電体導波管および導波管フェルールを備える導波管アセンブリの第１の実施形態を示す図である。
【図２】本発明の導波管アセンブリの第２の実施形態を示す図である。
【図３】本発明のマイクロ波コネクタアセンブリの第１の実施形態を示す斜視分解図である。
【図４】図３のマイクロ波コネクタアセンブリを示す側面図である。
【図５】本発明のマイクロ波伝送アセンブリの第１の実施形態を示す図である。
【図６】本発明のマイクロ波伝送アセンブリの第２の実施形態を示す図である。
【図７】本発明のマイクロ波伝送アセンブリの第３の実施形態を示す図である。
【発明を実施するための形態】
【００５９】
図１は、導波管フェルール５に挿入された誘電体導波管３を備える導波管アセンブリ１を示す。導波管フェルール５は、導波管の外形に応じて中空の形状として実施される導波管フェルールベース７（たとえば、円筒９）を備え、導波管フェルールベース７は、長手方向１１に沿って延びる。
【００６０】
導波管フェルール５は、長手方向１１に沿って誘電体導波管３を受け取るための受取り端１３を有する。導波管フェルール５は、受取り端１３に対して遠位に接続端１５を有する。図１に示す導波管アセンブリ１の実施形態では、導波管端１７、それぞれ誘電体導波管３の小面１９は、導波管フェルール５の接続端１５へ延びる。
【００６１】
誘電体導波管３の小面１９で、誘電体導波管３の構造を見ることができる。矩形の形状の導波管コア２１が、本質的に円形の外形を有するクラッド２３によって取り囲まれているが、本発明の異なる実施形態では、形状は変動することもできる（たとえば、正方形など）。
【００６２】
導波管フェルールベース７は、自由内径２５を有し、誘電体導波管３は、外径２７を有する。異なる形状（たとえば、正方形または矩形）を有する実施形態の場合、導波管フェルールベース７および誘電体導波管３の寸法は、幅および高さなどの１つまたは複数のまっすぐな長さによって与えられる。図１で、自由内径２５および外径２７は、１つの双方向矢印によって示されており、自由内径２５は、外径２７よりわずかに小さく実施することができ、したがって誘電体導波管３は、摩擦嵌め２９によって導波管フェルール５内で保持される。誘電体導波管３と導波管フェルール５との間の異なる接続手段は当技術分野では知られており、これらの図には示されていない。
【００６３】
導波管フェルール５は、導波管フェルールベース７から径方向３５に少なくとも部分的に導波管フェルールベース７の周りに円周方向３７に延びるカラー３３として実施される３つのロック部材３１をさらに備える。
【００６４】
図１に示すロック部材３１は、導波管フェルールベース７の周りに全体的に延びるのではなく、コード化凹部３９として実施される相補形のコード化部材３８を備える。コード化凹部３９は、平坦部分４１としてさらに実施される。見やすくするために、図１では、平坦部分として実施された１つのコード化凹部３９のみに参照番号を提供する。
【００６５】
図１に示す径方向３５は、導波管フェルール５の中心４３から導波管フェルールベース７に向かって延びる多数の可能な径方向３５のうちの１つの代表例にすぎないことにも留意されたい。
【００６６】
したがって、ロック部材３１の平坦部分４１は、径方向３５とは反対の方向に平坦化されている。
【００６７】
図１および図２に示す実施形態は、１つの単一コード化凹部を備えたファイバフェルール５を有し、異なる実施形態では、導波管フェルールベース７の径方向両側に位置する第２のコード化凹部を提供することができる。
【００６８】
図２は、本発明の導波管アセンブリ１の第２の実施形態を示し、図２の実施形態は、追加として、図２に示す実施形態でフィン４７として実施されたさらなるコード化部材４５を備える。
【００６９】
図２のさらなるコード化部材４５は、第２のコード化凹部３９ｂおよび第３のコード化凹部３９ｃ内に位置するが、長手方向１１とは反対の方向に第１のコード化凹部３９ａから距離をあけて隔置される。
【００７０】
矩形４９内に、円筒形の導波管フェルール５に沿って、すなわち長手方向１１とは反対の方向に、投影図５１が示されている。投影図５１は、誘電体導波管３の小面１９、導波管フェルールベース７、およびロック部材３１を示し、投影図５１内には、第１のロック部材３１ａのみを見ることができ、第２のロック部材３１ｂおよび第３のロック部材３１ｃは、第１のロック部材３１ａによって覆われている。
【００７１】
同様に、第１のコード化凹部３９ａ、第２のコード化凹部３９ｂ、および第３のコード化凹部３９ｃは、互いの後ろに配置され、したがってさらなるコード化部材４５は、投影図５１ですべてのコード化凹部３９ａ〜３９ｃ内に位置する。
【００７２】
図３は、２つの導波管アセンブリ１およびフェルールソケット５３を備える本発明のマイクロ波コネクタアセンブリ５５の第１の実施形態を示す。
【００７３】
フェルールソケット５３は、内側部材５７および外側部材５９を備え、内側部材５７を外側部材５９に挿入することができる。
【００７４】
図３に示すマイクロ波コネクタアセンブリ５５の実施形態は、２つのフェルールレセプタクル６１を備えており、２つのフェルールレセプタクル６１に導波管アセンブリ１の導波管フェルール５をそれぞれ挿入することができる。
【００７５】
導波管アセンブリ１およびフェルールソケット５３は、導波管軸６３に沿って線形に配置される。導波管アセンブリ１は、フェルールソケット５３の両側６５ａおよび６５ｂに配置され、それぞれの小面１９が互いに対向する。
【００７６】
図３に示す導波管フェルール５は、本発明の導波管フェルールの第２の実施形態によって実施されており、第１のロック部材３１ａおよび第２のロック部材３１ｂのみを備え、導波管軸６３に対して平行な方向に沿って、第２のロック部材３１ｂがそれぞれの第１のロック部材３１ａより大きい寸法を有することから、図１および図２に示す導波管フェルールとは異なる。
【００７７】
さらに、図３の導波管フェルール５はそれぞれ、４つのコード化凹部３９を備え、４つのコード化凹部３９のうちの２つは、対応する導波管フェルール５のそれぞれの下に位置する。全体的に、４つのコード化凹部３９は図３の視野から隠れている。
【００７８】
フェルールレセプタクル６１内に導波管フェルール５を受け取ることは、図示の導波管フェルール５の両方に対して類似しており、したがって以下の説明は第１の接続領域６７を参照するが、その原理を第２の接続領域６８にも移行することができる。
【００７９】
フェルールレセプタクル６１内には、フェルールレセプタクル６１内に延びるコード化部材６９を見ることができる。フェルールレセプタクル６１の反対側では、図３に見える第１のコード化部材６９とは反対の方向に、第２のコード化部材６９がフェルールレセプタクル６１内へ延びている。
【００８０】
第１の接続領域６７の導波管アセンブリ１が内側部材５７に挿入された場合、基本的にはフェルールレセプタクル６１に対して導波管フェルール５の２つの所定の角度位置が存在し、フェルールレセプタクル６１のコード化部材６９は、これらの角度位置で、導波管フェルール５のコード化凹部３９内に受け取られる。
【００８１】
図３の矩形４９には、所定の角度位置７１が示されている。第１の所定の角度位置７１ａおよび第２の所定の角度位置７１ｂを区別するために、この説明だけを目的として、ロック部材３１にインジケータマーク７３が提供されている。
【００８２】
導波管フェルール５をフェルールレセプタクル６１に挿入しようとしているとき、導波管フェルール５が任意の角度位置７５に位置決めされた場合、フェルールレセプタクル６１のコード化部材６９は第１のロック部材３１ａに当接する。導波管フェルール５のそのような任意の角度位置３５では、導波管フェルール５とフェルールソケット５３との間のさらなる挿入およびロックは不可能である。
【００８３】
図３のマイクロ波コネクタアセンブリ５５の側面図を示す図４を次に参照すると、内側部材５７ならびに外側部材５９に弾性アーム７７が実施され、弾性アーム７７はそれぞれ、対向ロック部材７９を備える。対向ロック部材７９は、部分的に描写および分離された弾性アーム７７に対して、矩形４９に示されている。
【００８４】
フェルールレセプタクル６１内に導波管フェルール５を受け取ったとき、弾性アーム７７は、斜面８１でロック部材３１に当接し、弾性アーム７７を径方向３５に導波管フェルール５から離れる方へ撓ませる。ロック部材３１は、最終位置（図４には示されていないが、図６および図７を参照されたい）に到達するまで斜面８１に沿って摺動し、最終位置（図示せず）で、対向ロック部材７９はロック部材３１の後ろに掛止する。最終位置で、弾性アーム７７は弛緩し、図４に示す状態に戻る。
【００８５】
ロック部材３１および弾性アームは、その対向ロック部材７９とともに、導波管フェルール５がフェルールレセプタクル６１から誤って取り外されるのを防止する１次ロック８３を形成する。
【００８６】
１次ロック８３は、２次ロック８５によってさらに支持することができる。２次ロック８５は、図３に示すリテーナ８７によって形成される。
【００８７】
リテーナ８７は、実質上Ｕ字形の部分８９であり、ベース９１と、ベース９１から実質上直交して延びる２つの２次ロック部材９３とを有する。２次ロック部材９３はそれぞれ、弧状の当接前面９５を備えており、当接前面９５は、リテーナ８７が径方向３５とは反対の方向に内側部材５７または外側部材５９に挿入されるとき、ロック部材３１に隣接して導波管フェルールベース７または誘電体導波管３に当接する。
【００８８】
弧状の当接前面９５はまた、リテーナ８７が内側部材５７または外側部材５９に同様に当接するため、導波管フェルール５とフェルールレセプタクル６１との間の相対的な動きを防止する。
【００８９】
図５は、マイクロ波伝送アセンブリ９８に組み込まれている本発明のマイクロ波コネクタアセンブリ５５の第２の実施形態を示し、追加として回路基板９７が備えられている。
【００９０】
図５は、フェルールソケット５３の一部を形成する外側部材５９が、回路基板９７の平坦面９９ａおよび取付け部１０１に取り付けられることを示す。フェルールソケット５３は、回路基板９７の縁部１０３にわたって延びる。
【００９１】
図５に示す内側部材５７は、図３および図４の内側部材５７に対応し、外側部材５９は、図５では異なる形で実施されている。
【００９２】
図６は、本発明のマイクロ波伝送アセンブリ９８のさらなる実施形態を示し、図６に示す実施形態の誘電体導波管３は、回路基板９７に本質的に直交するように向けられている。
【００９３】
図６で、誘電体導波管３は導波管フェルール５（図示せず）に挿入され、導波管フェルール５はフェルールソケット５３のフェルールレセプタクル６１内に受け取られている。したがって、誘電体導波管３の小面１９（図示せず）は、回路基板９７に対して本質的に平行に向けられている。
【００９４】
図６に示す実施形態には、フェルールソケット５３ならびに誘電体導波管３が回路基板９７から離れる方へ延び、回路基板９７のフットプリント１０５内に位置するという利点がある。フットプリント１０５は、回路基板９７によって覆われた区域であると理解される。
【００９５】
図５および図６の本発明の電気アセンブリ９８の実施形態はマイクロ波エミッタ１０７を備えるが、図５および図６ではマイクロ波エミッタ１０７を見ることはできない。
【００９６】
マイクロ波エミッタ１０７は、図７に示す本発明のマイクロ波伝送アセンブリ９８の実施形態に見ることができる。
【００９７】
マイクロ波エミッタ１０７は、直方体によって示されており、アンテナ１０９を備え、アンテナ１０９もまた、直方体によって概略的にのみ示されている。アンテナ１０９は、異なる方法で実施することもでき、たとえば縦型アンテナ（たとえば、ビバルディアンテナ１１１）または横型放射アンテナ（たとえば、パッチ）とすることができる。
【００９８】
矩形４９には、回路基板９７、マイクロ波エミッタ１０７、およびアンテナ１０９、ならびに誘電体導波管３の側面図が示されている。図７に示す誘電体導波管は、余端１１３と呼ばれる。
【００９９】
アンテナ１０９から、マイクロ波放射１１５が余端１１３の小面１９の方へ放出され、導波管コア２１に結合される。放出方向１１７は、余端１１３の向きに対して本質的に平行である。マイクロ波放射１１５は、使用されるアンテナ１０９に応じて、特有の放射パターン１１０を有する。放射パターン１１０はこれらの図に示されていない。
【０１００】
回路基板９７に近接して余端１１３を組み立てることを可能にするために、余端１１３のクラッド２３は部分的に切断されて面取り１１９を形成し、面取り１１９は回路基板９７に当接する。
【０１０１】
図７に示す本発明のマイクロ波伝送アセンブリ９８の実施形態では、フェルールソケット５３は、フットプリント１０５内で回路基板９７の平坦面９９ａ上に完全に位置する。フェルールソケット５３内に受け取られた誘電体導波管３は、導波管フェルール５を通って延び、フェルールソケット５３に対する導波管フェルール５の所定の角度位置を提供することが可能になる。矩形４９ａは、図７の誘電体導波管３、導波管フェルール５、および余端１１３をフェルールソケット５３なしで概略的に示す。
【０１０２】
破線は、誘電体導波管３が導波管フェルール５を通って、特に接続端１５を越えて延びることを示す。
【符号の説明】
【０１０３】
１  導波管アセンブリ
３  誘電体導波管
５  導波管フェルール
７  導波管フェルールベース
９  中空の円筒
１１  長手方向
１３  受取り端
１５  接続端
１７  導波管端
１９  小面
２１  導波管コア
２３  クラッド
２５  自由内径
２７  外径
２９  摩擦嵌め
３１  ロック部材
３１ａ  第１のロック部材
３１ｂ  第２のロック部材
３１ｃ  第３のロック部材
３３  カラー
３５  径方向
３７  円周方向
３８  相補形のコード化部材
３９  コード化凹部
３９ａ  第１のコード化凹部
３９ｂ  第２のコード化凹部
３９ｃ  第３のコード化凹部
４１  平坦部分
４３  中心
４５  さらなるコード化部材
４７  フィン
４９  矩形
４９ａ  矩形
５１  投影図
５３  フェルールソケット
５５  マイクロ波コネクタアセンブリ
５７  内側部材
５９  外側部材
６１  フェルールレセプタクル
６３  導波管軸
６５ａ、６５ｂ  両側
６７  第１の接続領域
６８  第２の接続領域
６９  コード化部材
７１  所定の角度位置
７１ａ  第１の所定の角度位置
７１ｂ  第２の所定の角度位置
７３  インジケータマーク
７５  任意の角度位置
７７  弾性アーム
７９  対向ロック部材
８１  斜面
８３  １次ロック
８５  ２次ロック
８７  リテーナ
８９  Ｕ字形の部分
９１  ベース
９３  ２次ロック部材
９５  弧状の当接前面
９７  回路基板
９８  マイクロ波伝送アセンブリ
９９ａ  平坦面
９９ｂ  第２の側
１０１  取付け部
１０３  縁部
１０５  フットプリント
１０７  マイクロ波エミッタ
１０９  アンテナ
１１０  放射パターン
１１１  ビバルディアンテナ
１１３  余端
１１５  マイクロ波放射
１１７  放出方向
１１９  面取り
【図１】
0006893252.tif 000002
【図２】
0006893252.tif 000003
【図３】
0006893252.tif 000004
【図４】
0006893252.tif 000005
【図５】
0006893252.tif 000006
【図６】
0006893252.tif 000007
【図７】
0006893252.tif 000008